(57)【要約】  過去の接続履歴の影響を抑制して、パフォーマンスの良いアクセスポイントと無線接続できるクライアント端末装置、アクセスポイント選択方法および無線ＬＡＮシステムを提供する。  負荷率取得部２２は、アクセスポイントから該アクセスポイントの現在の負荷率を取得する。接続率算出部２３は、アクセスポイントへの自端末装置の接続率を算出する。制御部２４は、無線通信部２１で受信したアクセスポイントからの信号の通信品質と、負荷率取得部２２が取得した負荷率と、接続率算出部２３が算出した接続率と、に基づいて各アクセスポイントに対する優先度を算出し、算出した優先度に基づいてアクセスポイントとの接続を選択制御する。
2013187071.tif 000002
【特許請求の範囲】
【請求項１】
無線ＬＡＮシステムの複数のアクセスポイントとの無線接続が可能なクライアント端末装置であって、
前記アクセスポイントと無線通信を行う無線通信部と、
前記アクセスポイントから該アクセスポイントの現在の無線接続の負荷率を取得する負荷率取得部と、
前記アクセスポイントへの自端末装置の接続率を算出する接続率算出部と、
前記無線通信部で受信した前記アクセスポイントからの無線信号の通信品質と、前記負荷率取得部が取得した前記負荷率と、前記接続率算出部が算出した前記接続率と、に基づき、前記アクセスポイントとの無線接続を選択制御する制御部と、
を有することを特徴とするクライアント端末装置。
【請求項２】
前記制御部は、前記通信品質と前記負荷率と前記接続率と、を優先パラメータとしたとき、それぞれの積を第１の優先度とし、該第１の優先度に基づき、前記アクセスポイントとの接続を選択制御することを特徴とする請求項１に記載のクライアント端末装置。
【請求項３】
前記制御部は、前記優先パラメータ内の何れかを、第２の優先度として設定が可能であることを特徴とする請求項２に記載のクライアント端末装置。
【請求項４】
前記負荷率は、前記アクセスポイントに無線接続可能なクライアント端末装置の最大台数と、前記アクセスポイントの配下のクライアント端末装置の台数と、に基づき算出されることを特徴とする請求項１に記載のクライアント端末装置。
【請求項５】
無線ＬＡＮシステムの複数のアクセスポイントとの無線接続が可能なクライアント端末装置のアクセスポイント選択方法であって、
前記アクセスポイントから該アクセスポイントの現在の負荷率を取得するステップと、
前記アクセスポイントへの自端末装置の接続率を算出するステップと、
前記アクセスポイントからの信号の通信品質と、取得した前記負荷率と、算出した前記接続率と、に基づき、接続するアクセスポイントを選択するステップと、
を含むことを特徴とするアクセスポイント選択方法。
【請求項６】
前記通信品質と前記負荷率と前記接続率と、を優先パラメータとしたとき、それぞれの積を第１の優先度とし、該第１の優先度に基づき、前記アクセスポイントとの接続を選択するステップを、さらに含むことを特徴とする請求項５に記載のアクセスポイント選択方法。
【請求項７】
前記優先パラメータ内の何れかを、第２の優先度として設定するステップを、さらに含むことを特徴とする請求項６に記載のアクセスポイント選択方法。
【請求項８】
複数のアクセスポイントと少なくとも一つのクライアント端末装置を有する無線ＬＡＮシステムであって、
前記アクセスポイントは、
該アクセスポイントに無線接続可能なクライアント端末装置の最大台数と配下のクライアント端末装置の台数と、に基づき負荷率を算出する算出部と、
前記配下のクライアント端末装置に前記負荷率を報知する報知部と、を備え、
前記クライアント端末装置は、
前記アクセスポイントの報知部から報知される前記負荷率を取得する負荷率取得部と、
前記負荷率を含む優先パラメータに応じて前記複数のアクセスポイントの中から、自端末装置が無線接続するアクセスポイントを選択制御する制御部と、を備えることを特徴とする無線ＬＡＮシステム。
【請求項９】
前記優先パラメータは、さらに前記アクセスポイントへの自端末装置の接続率と、前記アクセスポイントからの無線信号の通信品質と、を含むことを特徴とする請求項８に記載の無線ＬＡＮシステム。
【発明の詳細な説明】
【技術分野】
【０００１】
関連出願の相互参照
本出願は、２０１２年６月１３日に出願された日本国特許出願第２０１２−１３３９７５号に基づく優先権を主張する。その発明の名称は「クライアント端末装置およびアクセスポイント選択方法」であり、その特許出願の明細書全体を参照によって本願明細書に引用する。【０００２】
本発明は、無線ＬＡＮシステムにおけるアクセスポイント配下のクライアント端末装置およびそのアクセスポイント選択方法に関する。
【背景技術】
【０００３】
従来、ＷｉＦｉ（登録商標：Wireless Fidelity）などの無線ＬＡＮによる通信においては、クライアント端末装置は、アクセスポイントに一度接続すると、そのアクセスポイントのＳＳＩＤ（Service Set Identifier）等を記憶する。そしてクライアント端末装置は、次回の接続時に、既知のＳＳＩＤを検出した場合は、自動的にそのアクセスポイントへ接続する動作を行う。【０００４】
また、クライアント端末装置は、過去に接続履歴のあるアクセスポイントが複数存在するサービスエリア内においては、前回接続したアクセスポイントへ接続を試みる。図７は、従来のクライアント端末装置がアクセスポイントへ接続するときの動作を説明する図である。クライアント端末装置３２は、シグナルレベルが高く、またネットワーク負荷の少ないアクセスポイント３１Ａが存在しても、自動的に前回接続したアクセスポイント３１Ｂへ無線接続を試みる。【０００５】
なお、特許文献１には、自局が管理する管理下登録通信端末数を基地局から通信端末へ通知し、通知を受けた通信端末が、比較的登録端末数の少ない基地局を接続先として選択（ハンドオーバ）する技術が開示されている。また、特許文献２には、アクセスポイントがサーバの代わりに、クライアント端末の認証を行う無線ＬＡＮシステムが開示されている。
【先行技術文献】
【特許文献】
【０００６】
【特許文献１】特開２０００−２９５６５０号公報
【特許文献２】特開２００５−１４２８４８号公報
【発明の概要】
【発明が解決しようとする課題】
【０００７】
上述したように、従来の無線ＬＡＮによる通信では、クライアント端末装置は、過去に接続履歴のあるアクセスポイントが複数存在する場合、自動的に前回接続されたアクセスポイントへ無線接続してしまう。その結果、クライアント端末装置は、前回接続されたアクセスポイントに比べ、シグナルレベルが高く、またネットワーク負荷の少ない他のアクセスポイントが存在しても、パフォーマンスの良いアクセスポイントには無線接続しない。【０００８】
本発明は、このような問題点に鑑みてなされたものである。すなわち、本発明の目的は、複数のアクセスポイントが存在するサービスエリア内において、過去の接続履歴の影響を抑制して、パフォーマンスの良いアクセスポイントと無線接続することができるクライアント端末装置、アクセスポイント選択方法および無線ＬＡＮシステムを提供することにある。
【課題を解決するための手段】
【０００９】
上記目的を達成するため、本発明は、無線ＬＡＮシステムの複数のアクセスポイントとの無線接続が可能なクライアント端末装置であって、前記アクセスポイントと無線通信を行う無線通信部と、前記アクセスポイントから該アクセスポイントの現在の無線接続の負荷率を取得する負荷率取得部と、前記アクセスポイントへの自端末装置の接続率を算出する接続率算出部と、前記無線通信部で受信した前記アクセスポイントからの無線信号の通信品質と、前記負荷率取得部が取得した前記負荷率と、前記接続率算出部が算出した前記接続率と、に基づき、前記アクセスポイントとの無線接続を選択制御する制御部とを有することを特徴とする。【００１０】
また、前記制御部は、前記通信品質と前記負荷率と前記接続率と、を優先パラメータとしたとき、それぞれの積を第１の優先度とし、該第１の優先度に基づき、前記アクセスポイントとの接続を選択制御することが好ましい。【００１１】
また、前記制御部は、前記優先パラメータ内の何れかを、第２の優先度として設定が可能であることが好ましい。【００１２】
また、前記負荷率は、前記アクセスポイントに無線接続可能なクライアント端末装置の最大台数と、前記アクセスポイントの配下のクライアント端末装置の台数と、に基づき算出されることが好ましい。【００１３】
また、本発明は、無線ＬＡＮシステムの複数のアクセスポイントとの無線接続が可能なクライアント端末装置のアクセスポイント選択方法であって、前記アクセスポイントから該アクセスポイントの現在の負荷率を取得するステップと、前記アクセスポイントへの自端末装置の接続率を算出するステップと、前記アクセスポイントからの信号の通信品質と、取得した前記負荷率と、算出した前記接続率と、に基づき、接続するアクセスポイントを選択するステップとを含むことを特徴とする。【００１４】
また、前記通信品質と前記負荷率と前記接続率と、を優先パラメータとしたとき、それぞれの積を第１の優先度とし、該第１の優先度に基づき、前記アクセスポイントとの接続を選択するステップを、さらに含むことが好ましい。【００１５】
また、前記優先パラメータ内の何れかを、第２の優先度として設定するステップを、さらに含むことが好ましい。【００１６】
また、本発明は、複数のアクセスポイントと少なくとも一つのクライアント端末装置を有する無線ＬＡＮシステムであって、前記アクセスポイントは、該アクセスポイントに無線接続可能なクライアント端末装置の最大台数と配下のクライアント端末装置の台数と、に基づき負荷率を算出する算出部と、前記配下のクライアント端末装置に前記負荷率を報知する報知部と、を備え、前記クライアント端末装置は、前記アクセスポイントの報知部から報知される前記負荷率を取得する負荷率取得部と、前記負荷率を含む優先パラメータに応じて前記複数のアクセスポイントの中から、自端末装置が無線接続するアクセスポイントを選択制御する制御部と、を備えることを特徴とする。【００１７】
また、前記優先パラメータは、さらに前記アクセスポイントへの自端末装置の接続率と、前記アクセスポイントからの無線信号の通信品質と、を含むことが好ましい。
【発明の効果】
【００１８】
無線ＬＡＮシステムにおいて、アクセスポイント配下（管理下）の本発明のクライアント端末装置は、過去の接続履歴の影響を抑制し、パフォーマンスの良いアクセスポイントと無線接続することができる。
【図面の簡単な説明】
【００１９】
【図１】本発明の実施形態に係る無線ＬＡＮシステムの概略構成図である。
【図２】本発明の実施の形態に係るアクセスポイントの概略構成図である。
【図３】アクセスポイントの動作を説明するフローチャートである。
【図４】本発明の実施の形態に係るクライアント端末装置の概略構成図である。
【図５】ＲｍａｘとＲｍｉｎとＲｍａｘ−Ｒｍｉｎの関係を示す図である。
【図６】クライアント端末装置の動作を説明するフローチャートである。
【図７】従来のクライアント端末装置がアクセスポイントへ接続するときの動作を説明する図である。
【発明を実施するための形態】
【００２０】
本発明の実施の形態について図面を参照して説明する。図１は、本発明の実施形態に係る無線ＬＡＮシステムの概略構成図である。図１に示す無線ＬＡＮシステムは、アクセスポイント１Ａ、１Ｂと、クライアント端末装置２と、アクセスポイント１Ａ配下のクライアント端末装置３Ａと、アクセスポイント１Ｂ配下のクライアント端末装置３Ｂ、３Ｃからなる。なお、図１においては、説明を簡単にするために、アクセスポイント１Ａ配下の端末装置の数を１台、アクセスポイント１Ｂ配下の端末装置の数を２台としている。しかし、配下の端末装置の数はこれらに限るものではなく、また、その他のアクセスポイントも備えることがあるものとする。図１において、クライアント端末装置２は、サービスエリア内の各アクセスポイントに対する優先度（Ｐ）を算出する。これによりクライアント端末装置２は前回の接続先であるアクセスポイント１Ｂではなく、サービスエリア内で最も優先度が高い（大きい）、最適なアクセスポイント１Ａに接続することができる。
【００２１】
図２は、本発明の実施の形態に係るアクセスポイントの概略構成図である。アクセスポイント１は、無線通信部１１と、制御部１２と、記憶部１３を備えている。無線通信部１１は、アンテナを介してクライアント端末装置と無線通信を行う。記憶部１３は、例えばメモリ等で構成され、制御部１２の各種情報を記憶する。
【００２２】
制御部１２は、配下のクライアント端末装置の数をカウントすることで自アクセスポイントの現在の負荷率を示す優先パラメータＴを計算し、クライアント端末装置へ優先パラメータＴを報知する。表１は、優先パラメータＴを算出するためのテーブルを示しており、制御部１２は、記憶部１３に格納されている表１のテーブルに基づいて優先パラメータＴを算出する。
【００２３】
【表１】
2013187071.tif 000003
Ｔｍａｘは自アクセスポイントの最大接続台数である。
【００２４】
図３は、アクセスポイントの動作を説明するフローチャートである。まずアクセスポイントは、配下のデータ通信中であるクライアント端末装置の数をカウントする（Ｓ１０１）。次にアクセスポイントは、自アクセスポイントにおける最大接続数Ｔｍａｘに基づいて、アクセスポイントの負荷率を示す優先パラメータ値（Ｔ）を算出する（Ｓ１０２）。アクセスポイントは、算出した優先パラメータ値（Ｔ）を、報知信号を用いて定期的にサービスエリア内のクライアント端末装置に報知する（Ｓ１０３）。
【００２５】
図４は、本発明の実施の形態に係るクライアント端末装置の概略構成図である。クライアント端末装置２は、無線通信部２１と、負荷率取得部２２と、接続率算出部２３と、制御部２４と、記憶部２５を備えている。
【００２６】
無線通信部２１は、アンテナを介してアクセスポイントと無線通信を行う。負荷率取得部２２は、アクセスポイントから、該アクセスポイントが算出した該アクセスポイントの現在の無線接続の負荷率を示す優先パラメータＴを取得する。当該負荷率は、アクセスポイントに無線接続可能なクライアント端末装置の最大台数と、アクセスポイントの配下のクライアント端末装置の台数と、に基づき算出されるものである。記憶部２５は、例えばメモリ等で構成され、優先パラメータ等の各種情報を記憶する。
【００２７】
接続率算出部２３は、アクセスポイントへの自端末装置の接続率を示す優先パラメータＣを算出する。表２は、優先パラメータＣを算出するためのテーブルを示しており、接続率算出部２３は、記憶部２５に格納されている表２のテーブルに基づいて優先パラメータＣを算出する。
【表２】
2013187071.tif 000004
Ｃｍａｘは過去接続回数範囲設定値であり、引数値ＣはＣ＞０と定義する。
【００２８】
制御部２４は、無線通信部２１で受信したアクセスポイントからの受信信号の通信品質を示す優先パラメータＲを算出する。表３は、優先パラメータＲを算出するためのテーブルを示しており、制御部２４は、記憶部２５に格納されている表３のテーブルに基づいて優先パラメータＲを算出する。表３は、受信信号の受信レベルから優先パラメータＲを算出する場合を示している。しかしこれに限らず、ＲＳＳＩ（受信信号強度）、ＣＩＮＲ（搬送波レベル対干渉雑音比）、ＦＥＲ（フレーム誤り率）等から優先パラメータＲを算出するようにしてもよい。
【００２９】
【表３】
2013187071.tif 000005
Ｒｍａｘはクライアント端末装置１の強入力感度であり、Ｒｍｉｎはクライアント端末装置１の最小受信感度であり、Ｒｍａｘ−Ｒｍｉｎはクライアント端末装置１の受信ダイナミックレンジである。ＲｍａｘとＲｍｉｎとＲｍａｘ−Ｒｍｉｎの関係を図５に示す。
【００３０】
制御部２４は、接続率算出部２３が算出した優先パラメータＣと、無線通信部２１で受信したアクセスポイントからの信号の通信品質を示す優先パラメータＲと、負荷率取得部２２がアクセスポイントから取得した優先パラメータＴとを用意する。次に制御部２４は、優先度Ｐ＝Ｆ（Ｃ，Ｒ，Ｔ）（ＦはＣ、Ｒ、Ｔをパラメータとする重み付け関数である）を算出し、算出した優先度を用いてアクセスポイントとの接続を選択制御する。
【００３１】
例えば、制御部２４は、優先パラメータＣ（接続率）と優先パラメータＲ（通信品質）と優先パラメータＴ（負荷率）に基づいて、次式により優先度Ｐを算出する。
Ｐ＝Ｃ×Ｒ×Ｔ  （０≦Ｐ≦１）
制御部２４は、この優先度Ｐに基づき、アクセスポイントとの接続を選択制御する。また、制御部２４は、優先パラメータ内の何れかを、第２の優先度として設定が可能である。なお、ここで挙げた優先パラメータは一例であり、他の優先パラメータを用いてもよい。
【００３２】
図６は、クライアント端末装置の動作を説明するフローチャートである。なお、フローチャートにおいて、アクセスポイントをＡＰと表す。
【００３３】
クライアント端末装置２は、各アクセスポイントのＳＳＩＤ（Service Set Identifier）を検出し（Ｓ２０１）、自端末装置に記憶している過去の接続履歴を参照する。そして、クライアント端末装置２は過去の接続頻度から各アクセスポイントへの自端末装置の接続率を示す優先パラメータＣを算出する（Ｓ２０２）。次に、クライアント端末装置２は、各アクセスポイントから受信した信号の受信レベル情報から通信品質を示す優先パラメータＲを算出する（Ｓ２０３）。さらにクライアント端末装置２は、各アクセスポイントから定期的に送信される報知信号からアクセスポイントの現在の負荷率を示す優先パラメータＴを取得する（Ｓ２０４）。クライアント端末装置２は、優先パラメータＣ、Ｒ、Ｔより各アクセスポイントに対する優先度（Ｐ）を算出する（Ｓ２０５）。
【００３４】
表４は、具体例１として、アクセスポイントＡＰ１、ＡＰ２、ＡＰ３の過去３０回中の接続頻度、強入力感度、最小受信感度、受信レベル、最大接続数、配下端末数の情報を示す。表５は、これらの情報に基づいて算出した優先パラメータ値Ｃ、Ｒ、ＴおよびＣ、Ｒ、Ｔに基づいて算出した優先度Ｐを示している。
【００３５】
【表４】
2013187071.tif 000006
【００３６】
【表５】
2013187071.tif 000007
なお、優先パラメータＣは、平方根の値を示している。優先度の算出の際に、優先順位の低いパラメータとしたい場合は平方根などを使用してもよい。
【００３７】
表６は、具体例２として、アクセスポイントＡＰ１、ＡＰ２、ＡＰ３の過去３０回中の接続頻度、強入力感度、最小受信感度、受信レベル、最大接続数、配下端末数の情報を示す。表７は、これらの情報に基づいて算出した優先パラメータ値Ｃ、Ｒ、ＴおよびＣ、Ｒ、Ｔに基づいて算出した優先度Ｐを示している。
【００３８】
【表６】
2013187071.tif 000008
【００３９】
【表７】
2013187071.tif 000009
【００４０】
クライアント端末装置２は、各アクセスポイントの優先度（Ｐ）がそれぞれ異なるか否かを判定し（Ｓ２０６）、優先度（Ｐ）が異なる場合（Ｙｅｓの場合）は、最も高い（大きい）優先度（Ｐ）を有するアクセスポイントへの接続を行う（Ｓ２０７）。具体例１の場合は、アクセスポイントＡＰ３の優先度が最も高いのでアクセスポイントＡＰ３が接続先となる。具体例２の場合は、アクセスポイントＡＰ２の優先度が最も高いのでアクセスポイントＡＰ２が接続先となる。なお、具体例２において、アクセスポイントＡＰ３は、接続数が最大限度数であるため優先パラメータＴは０となる。したがって、優先度が０であるため、クライアント端末装置２は、アクセスポイントＡＰ３へは接続を行わない。
【００４１】
クライアント端末装置２は、優先度（Ｐ）が同じ場合（Ｎｏの場合）は、予め優先順位を設定した優先パラメータの高いアクセスポイントへの接続を行う（Ｓ２０８）。
【００４２】
上述したように、本発明は、ネットワーク負荷率、アクセスポイントからの受信レベル、過去接続頻度等の優先パラメータを用いて算出される総合的な優先度を基に、最適なアクセスポイントへ接続することができる。
【００４３】
また、上述した特許文献１の技術では、通信端末は、基地局配下の通信端末の数を算出でき、ネットワーク負荷を定量的に算出して最適に基地局に接続することが可能である。しかしながら、現在多く市場に出回っている無線ＬＡＮアクセスポイント等は、大規模な基地局装置とは違い、多くのメーカが設計しており、そのアクセスポイントの性能（例えば、最大接続数等）はメーカにより差異が見られる。したがって、アクセスポイント毎に無線端末の接続限度数が異なるため、クライアント端末装置は、接続数だけでは定量的にネットワーク負荷を算出することができない。それ故、アクセスポイントに特許文献１の技術を適用させても、必ずしもパフォーマンスの良いアクセスポイントと無線接続ができない。本発明は、負荷率を算出する際に、個々のアクセスポイントの最大接続限度数（Ｔｍａｘ）を考慮する。そのため本発明においては定量的な負荷率を用いて優先度を算出することができ、算出した優先度を基に、最適なアクセスポイントへ接続することができる。
【００４４】
また、アクセスポイントの端末接続数が最大限度数に達している場合、アクセスポイントへ接続を試みる端末装置は、ＩＰアドレスの取得作業に失敗し、完全に接続状態となる前に切断され、また、その動作を繰り返すことになる。しかし本発明は、接続限度となるアクセスポイントには接続を試みないような動作を行うので、ＩＰアドレス取得失敗による自動再接続ループを回避することができる。また、本発明は、接続不可状態を回避すると共に、各アクセスポイントにおける負荷の分散効果も期待できる。
【符号の説明】
【００４５】
１、１Ａ、１Ｂ、３１Ａ、３１Ｂ  アクセスポイント（ＡＰ）
２、３Ａ、３Ｂ、３Ｃ、３２  クライアント端末装置（無線端末）
１１、２１  無線通信部
１２、２４  制御部
１３、２５  記憶部
２２  負荷率取得部
２３  接続率算出部
【図１】
2013187071.tif 000010
【図２】
2013187071.tif 000011
【図３】
2013187071.tif 000012
【図４】
2013187071.tif 000013
【図５】
2013187071.tif 000014
【図６】
2013187071.tif 000015
【図７】
2013187071.tif 000016
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
無線ＬＡＮシステムの複数のアクセスポイントとの無線接続が可能なクライアント端末装置であって、
前記アクセスポイントと無線通信を行う無線通信部と、
前記アクセスポイントから該アクセスポイントの現在の無線接続の負荷率を取得する負荷率取得部と、
前記アクセスポイントへの自端末装置の接続率を算出する接続率算出部と、
前記無線通信部で受信した前記アクセスポイントからの無線信号の通信品質と、前記負荷率取得部が取得した前記負荷率と、前記接続率算出部が算出した前記接続率と、に基づき、前記アクセスポイントとの無線接続を選択制御する制御部と、
を有し、
該制御部は、前記通信品質と前記負荷率と前記接続率と、を優先パラメータとしたとき、それぞれの積を第１の優先度とし、該第１の優先度に基づき、前記アクセスポイントとの接続を選択制御することを特徴とするクライアント端末装置。
【請求項２】
前記制御部は、前記優先パラメータ内の何れかを、第２の優先度として設定が可能であることを特徴とする請求項１に記載のクライアント端末装置。
【請求項３】
無線ＬＡＮシステムの複数のアクセスポイントとの無線接続が可能なクライアント端末装置のアクセスポイント選択方法であって、
前記アクセスポイントから該アクセスポイントの現在の負荷率を取得するステップと、
前記アクセスポイントへの自端末装置の接続率を算出するステップと、
前記アクセスポイントからの信号の通信品質と、取得した前記負荷率と、算出した前記接続率と、に基づき、接続するアクセスポイントを選択するステップであって、前記通信品質と前記負荷率と前記接続率と、を優先パラメータとしたとき、それぞれの積を第１の優先度とし、該第１の優先度に基づき、前記アクセスポイントとの接続を選択するステップと
を含むことを特徴とするアクセスポイント選択方法。
【請求項４】
前記優先パラメータ内の何れかを、第２の優先度として設定するステップを、さらに含むことを特徴とする請求項３に記載のアクセスポイント選択方法。
【手続補正２】
【補正対象書類名】明細書
【補正対象項目名】０００９
【補正方法】変更
【補正の内容】
【０００９】
上記目的を達成するため、本発明は、無線ＬＡＮシステムの複数のアクセスポイントとの無線接続が可能なクライアント端末装置であって、前記アクセスポイントと無線通信を行う無線通信部と、前記アクセスポイントから該アクセスポイントの現在の無線接続の負荷率を取得する負荷率取得部と、前記アクセスポイントへの自端末装置の接続率を算出する接続率算出部と、前記無線通信部で受信した前記アクセスポイントからの無線信号の通信品質と、前記負荷率取得部が取得した前記負荷率と、前記接続率算出部が算出した前記接続率と、に基づき、前記アクセスポイントとの無線接続を選択制御する制御部とを有し、該制御部は、前記通信品質と前記負荷率と前記接続率と、を優先パラメータとしたとき、それぞれの積を第１の優先度とし、該第１の優先度に基づき、前記アクセスポイントとの接続を選択制御することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、本発明は、無線ＬＡＮシステムの複数のアクセスポイントとの無線接続が可能なクライアント端末装置のアクセスポイント選択方法であって、前記アクセスポイントから該アクセスポイントの現在の負荷率を取得するステップと、前記アクセスポイントへの自端末装置の接続率を算出するステップと、前記アクセスポイントからの信号の通信品質と、取得した前記負荷率と、算出した前記接続率と、に基づき、接続するアクセスポイントを選択するステップであって、前記通信品質と前記負荷率と前記接続率と、を優先パラメータとしたとき、それぞれの積を第１の優先度とし、該第１の優先度に基づき、前記アクセスポイントとの接続を選択するステップとを含むことを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【国際調査報告】
2013187071.tif 000017
2013187071.tif 000018
2013187071.tif 000019
2013187071.tif 000020